(57)【特許請求の範囲】
【請求項１】
内部にウェットシートが収容された収容体と、
前記収容体の上面から突出して設けられた円筒状の取出部と、
前記取出部の上面を閉塞するように前記取出部に着脱自在に取り付けられる第１蓋材と、を備え、
前記取出部は、
前記収容体の上面から突出して設けられ、上面が全面開放された円筒部と、
前記円筒部の上面を閉塞する第２蓋材と、を備え、
前記第２蓋材の側面外周面に前記第１蓋材を螺着するための第１の内側ネジ部が形成されるとともに、上面に前記収容体内のウェットシートを取り出すためのスリットが形成され、
前記円筒部の側面外周面に前記第２蓋材を螺着するための第２の内側ネジ部が形成され、
前記第１蓋材の側面内周面に前記第１の内側ネジ部と螺合するように第１の外側ネジ部が形成され、
前記第２蓋材の側面内周面に前記第２の内側ネジ部と螺合するように第２の外側ネジ部が形成され、
前記第１蓋材は、前記取出部に螺着した状態において、上面と前記取出部の上面との間に前記スリットから突出したウェットシートを収容する空間が形成されるように構成されていることを特徴とするウェットシート収容体。
【請求項２】
前記第１の内側ネジ部の向きと前記第２の内側ネジ部の向きとが逆回りとなるように形成されていることを特徴とする請求項１に記載のウェットシート収容体。
【請求項３】
前記取出部は、上面を一部隆起させた円筒状の隆起部を有し、
前記隆起部の側面外周面に前記第１蓋材を螺着するための第３の内側ネジ部が形成されるとともに、上面に前記スリットが形成され、
前記第１蓋材は、上面の裏面に内蓋が形成され、前記内蓋の内周面に前記第３の内側ネジ部と螺合するように第３の外側ネジ部が形成されていることを特徴とする請求項１又は２に記載のウェットシート収容体。
【請求項４】
前記取出部と前記第１蓋材とを紐状部材により接続したことを特徴とする請求項１〜３のいずれか一項に記載のウェットシート収容体。
【請求項５】
前記第１蓋材の下端部及び／又は前記第１蓋材に対向する前記取出部の上面に軟質部材が設けられ、前記第１蓋材を前記取出部に取り付けた際、前記第１蓋材と前記取出部との間に前記軟質部材が介在して密着されることを特徴とする請求項１〜４のいずれか一項に記載のウェットシート収容体。
【発明の詳細な説明】
【技術分野】
【０００１】
本発明は、ウェットシートを収容したウェットシート収容体に関する。
【背景技術】
【０００２】
従来、清拭や化粧などに使用される衛生用品として、不織布製のシートにアルコールなどの液体成分を含浸させたウェットシートが知られている。このようなウェットシートは、使用するまでに乾燥してしまわないように、気密性を有する袋や容器などのウェットシート収容体に収容されて提供されるのが通例である。
【０００３】
ウェットシート収容体としては、取出口に嵌合式の蓋材を設け、取出口を蓋材で閉止することで容器内部の気密性を高めたものが開示されている（例えば、特許文献１参照）。また、フィルムまたはシートからなる自立タイプの袋体の内部にウェットシートを収容した状態で、袋体にウェットシート取出し用の取出口部材を装着し、この取出口部材にウェットシートの乾燥を防止するための嵌合式蓋材を備えたものが開示されている（例えば、特許文献２参照）。
【先行技術文献】
【特許文献】
【０００４】
【特許文献１】特開２０００−７２１６０号公報
【特許文献２】特開２０１０−２８５１７３号公報
【発明の概要】
【発明が解決しようとする課題】
【０００５】
しかしながら、上記従来のウェットシート収容体の場合、使用者がウェットシートを取り出す度に蓋材の開閉作業が行われるため、蓋材が磨耗したり変形して歪が生じたりしてしまう。嵌合式の蓋材に磨耗や変形が生じると、容器内部の気密性を確保することができなくなり、ウェットシートに含ませている薬液が外部へと蒸発してしまうため、ウェットシートの乾燥を防止することができない。
また、ウェットシート収容体として、他に、再粘着可能なシールを備え、未使用時にはこのシールを取出口としての開口部の周縁に粘着させて開口部を塞ぐことが可能となっているものが知られているが、残りのシート枚数が少なくなってくると、容器内に空洞ができ、シールや開口部にヨレが生じるうえ、シールの粘着性が低下するため、容器内部の気密性を確保することが困難であった。
【０００６】
本発明は、気密性の保持に関する耐久性に優れ、且つ残りのシート枚数に係らず、収容体内部の気密性を保持することが可能なウェットシート収容体を提供することを目的とする。
【課題を解決するための手段】
【０００７】
請求項１に記載の発明は、上記目的を達成するためになされたものであり、ウェットシート収容体において、内部にウェットシートが収容された収容体と、
前記収容体の上面から突出して設けられた円筒状の取出部と、
前記取出部の上面を閉塞するように前記取出部に着脱自在に取り付けられる第１蓋材と、を備え、
前記取出部は、
前記収容体の上面から突出して設けられ、上面が全面開放された円筒部と、
前記円筒部の上面を閉塞する第２蓋材と、を備え、
前記第２蓋材の側面外周面に前記第１蓋材を螺着するための第１の内側ネジ部が形成されるとともに、上面に前記収容体内のウェットシートを取り出すためのスリットが形成され、
前記円筒部の側面外周面に前記第２蓋材を螺着するための第２の内側ネジ部が形成され、
前記第１蓋材の側面内周面に前記第１の内側ネジ部と螺合するように第１の外側ネジ部が形成され、
前記第２蓋材の側面内周面に前記第２の内側ネジ部と螺合するように第２の外側ネジ部が形成され、
前記第１蓋材は、前記取出部に螺着した状態において、上面と前記取出部の上面との間に前記スリットから突出したウェットシートを収容する空間が形成されるように構成されていることを特徴とする。
【０００８】
請求項２に記載の発明は、請求項１に記載のウェットシート収容体において、前記第１の内側ネジ部の向きと前記第２の内側ネジ部の向きとが逆回りとなるように形成されていることを特徴とする。
【０００９】
請求項３に記載の発明は、請求項１又は２に記載のウェットシート収容体において、前記取出部は、上面を一部隆起させた円筒状の隆起部を有し、
前記隆起部の側面外周面に前記第１蓋材を螺着するための第３の内側ネジ部が形成されるとともに、上面に前記スリットが形成され、
前記第１蓋材は、上面の裏面に内蓋が形成され、前記内蓋の内周面に前記第３の内側ネジ部と螺合するように第３の外側ネジ部が形成されていることを特徴とする。
【００１０】
請求項４に記載の発明は、請求項１〜３のいずれか一項に記載のウェットシート収容体において、前記取出部と前記第１蓋材とを紐状部材により接続したことを特徴とする。
【００１１】
請求項５に記載の発明は、請求項１〜４のいずれか一項に記載のウェットシート収容体において、前記第１蓋材の下端部及び／又は前記第１蓋材に対向する前記取出部の上面に軟質部材が設けられ、前記第１蓋材を前記取出部に取り付けた際、前記第１蓋材と前記取出部との間に前記軟質部材が介在して密着されることを特徴とする。
【発明の効果】
【００１２】
本発明によれば、ネジ式の蓋材を用いて取出部を閉塞するようにしているので、嵌合式の蓋材を用いた場合と比べて蓋材の磨耗や変形による影響を受けにくく、気密性の保持に関する耐久性に優れ、且つ残りのシート枚数に係らず、収容体内部の気密性を保持することができる。
また、取出部の一部である第２蓋材を取り外して収容体内部に収容されたウェットシートを引き出すことができるので、使用者にとって使い勝手がよくなる。
【図面の簡単な説明】
【００１３】
【図１】第１実施形態に係るウェットシート収容体の外観正面図である。
【図２】第１実施形態に係るウェットシート収容体の第１蓋材を取り外した状態の一例について示した図である。
【図３】第１実施形態に係るウェットシート収容体の第２蓋材を取り外した状態の一例について示した図である。
【図４】第２実施形態に係るウェットシート収容体の外観正面図である。
【図５】第２実施形態に係るウェットシート収容体の第１蓋材を取り外した状態の一例について示した図である。
【図６】取出部と第１蓋材とを紐状部材で接続した状態の一例について示した図である。
【図７】第１蓋材の下端部周縁に軟質部材を備えた構成の一例について示した図である。
【発明を実施するための形態】
【００１４】
以下、本発明の実施の形態を図面に基づいて説明する。
【００１５】
（第１実施形態）
まず、構成について説明する。
第１実施形態に係るウェットシート収容体１は、図１〜３に示すように、内部にウェットシートＳが収容された袋状の収容体１１と、収容体１１の上面から突出して設けられた円筒状の取出部１２と、取出部１２の上面を閉塞するように取出部１２に着脱自在に取り付けられる第１蓋材としてのキャップ１３と、を備えて構成される。
【００１６】
収容体１１は、特に限定されないが、例えば、周縁部がシールされることにより、内部が気密の状態に保たれた構造となっている。また、収容体１１の内部には、ロール状のウェットシートＳが収容されている。ここで、ウェットシートＳは、シートに液体成分を含浸させたものであればよく、特に制限されるものではない。
収容体１１の素材に関しては、内部の気密性を確保できるものであれば特に制限されないが、好ましくは、熱可塑性樹脂、例えば、ポリエチレン（ＰＥ）、ポリプロピレン（ＰＰ）、ポリエチレンテレフタラート（ＰＥＴ）、ポリアミド（ＰＡ）等をフィルム状にしたものがよい。更に、アルミ層を中層にラミネートしたものであれば、バリア性が高くなるため、より好ましい。
【００１７】
取出部１２は、収容体１１の上面から突出して設けられ、上面が全面開放された円筒部１２１と、円筒部１２１の上面を閉塞する第２蓋材１２２と、を備える。
【００１８】
第２蓋材１２２の側面外周面には、キャップ１３を螺着するための内側ネジ部１２２ａが形成されている。また、第２蓋材１２２の上面には、収容体１１の内部に収容されたウェットシートＳを取り出すためのスリット１２２ｂが設けられている。このスリット１２２ｂ部分は、例えば、ゴム状の弾力性を有するエラストマーで形成されており、ウェットシートＳをスムーズに引き出すことができる構成となっている。また、ウェットシートＳを一枚取り出すと、次の一枚の先端部がスリット１２２ｂ上に突出した状態で保持される構成となっている。
また、第２蓋材１２２の側面内周面には、後述する内側ネジ部１２１ａと螺合するように外側ネジ部１２２ｃが形成されている。
【００１９】
円筒部１２１の側面外周面には、第２蓋材１２２を螺着するための内側ネジ部１２１ａが形成されている。この内側ネジ部１２１ａと、第２蓋材１２２の側面内周面に形成された外側ネジ部１２２ｃと、が螺合して密着することにより、収容体１１内部の気密性を確保することができる。ここで、内側ネジ部１２１ａの向きは、第２蓋材１２２に形成された内側ネジ部１２２ａの向きとは逆回りとなるように形成されている。これは、内側ネジ部１２１ａの向きを内側ネジ部１２２ａの向きと同一回りに形成してしまうと、キャップ１３を取り外した際に、キャップ１３のみならず第２蓋材１２２まで取り外されてしまう虞があるためである。即ち、内側ネジ部１２１ａの向きと内側ネジ部１２２ａの向きを逆回りとなるように形成することで、キャップ１３を取り外した際に第２蓋材１２２が取り外されてしまうことを防止できるようになっている。
【００２０】
キャップ１３は、下面が開口した円筒状の部材で形成されており、キャップ１３の側面内周面には、第２蓋材１２２の側面外周面に形成された内側ネジ部１２２ａと螺合するように、外側ネジ部１３ｃが形成されている。また、キャップ１３の大きさは、図１に示すように、取出部１２（第２蓋材１２２）にキャップ１３を螺着した状態において、ウェットシートＳの先端部がキャップ１３に挟まれないように、取出部１２（第２蓋材１２２）の上面とキャップ１３の上面との間に空間が形成されるように構成されている。この空間の長さは、スリット１２２ｂ上に突出したウェットシートＳの先端部よりも長くなるように構成されている。キャップ１３の素材に関しては、例えば、ポリエチレン（ＰＥ）、ポリプロピレン（ＰＰ）、ポリエチレンテレフタラート（ＰＥＴ）等の熱可塑性樹脂を使用することができる。
【００２１】
次に、第１実施形態に係るウェットシート収容体１におけるウェットシートＳの取り出し動作について説明する。
【００２２】
ウェットシート収容体１からウェットシートＳを取り出す場合、まず、使用者は、収容体１１からキャップ１３を取り外し、取出部１２（第２蓋材１２２）の上面に設けられたスリット１２２ｂ上に突出した状態で保持されているウェットシートＳの先端部を引き出すことによりウェットシートＳを取り出す。
ウェットシートＳを一枚取り出し終えると、次の一枚の先端部がスリット１２２ｂ上に突出した状態で保持される。
この状態で、ウェットシート収容体１の取出部１２（第２蓋材１２２）に先程取り外したキャップ１３を螺着する。このとき、第２蓋材１２２の側面外周面に形成された内側ネジ部１２２ａと、キャップ１３の側面内周面に形成された外側ネジ部１３ｃと、が螺合して密着するので、取出部１２及び収容体１１内部の気密性を確保することができる。
なお、ウェットシート収容体１は、取出部１２（第２蓋材１２２）にキャップ１３を螺着した状態でも、取出部１２（第２蓋材１２２）の上面とキャップ１３の上面との間に空間が形成されているので、スリット１２２ｂ上に突出した状態で保持されているウェットシートＳの先端部がキャップ１３に挟まれることはない。
【００２３】
このように、第１実施形態に係るウェットシート収容体１によれば、内部にウェットシートＳが収容された収容体１１と、収容体１１の上面から突出して設けられた円筒状の取出部１２と、取出部１２の上面を閉塞するように取出部１２に着脱自在に取り付けられるキャップ１３と、を備え、取出部１２は、収容体１１の上面から突出して設けられ、上面が全面開放された円筒部１２１と、円筒部１２１の上面を閉塞する第２蓋材１２２と、を備え、第２蓋材１２２の側面外周面にキャップ１３を螺着するための内側ネジ部１２２ａが形成されるとともに、上面に収容体１１内のウェットシートＳを取り出すためのスリット１２２ｂが形成され、キャップ１３の側面内周面に内側ネジ部１２２ａと螺合するように外側ネジ部１３ｃが形成されているので、内側ネジ部１２２ａと外側ネジ部１３ｃとが螺合して密着することとなって、取出部１２及び収容体１１内部の気密性を確保することができる。即ち、第１実施形態に係るウェットシート収容体１は、ネジ式のキャップ１３を用いて取出部１２を閉塞するようにしているので、嵌合式の蓋材を用いた場合と比べて蓋材の磨耗や変形による影響を受けにくく、気密性の保持に関する耐久性に優れ、より気密性を高めることができる。
【００２４】
また、第１実施形態に係るウェットシート収容体１によれば、円筒部１２１の側面外周面に第２蓋材１２２を螺着するための内側ネジ部１２１ａが形成され、第２蓋材１２２の側面内周面に内側ネジ部１２１ａと螺合するように外側ネジ部１２２ｃが形成されているので、第２蓋材１２２を円筒部１２１から取り外すことができることとなって、円筒部１２１を介して収容体１１の内部に収容されたウェットシートＳを引き出すことができる。従って、例えば、ウェットシートＳを一枚取り出した際に、次の一枚の先端部がスリット１２２ｂ上に突出せずに落ち込んでしまったような場合でも、第２蓋材１２２を円筒部１２１から取り外すことにより、収容体１１の内部に落ち込んだウェットシートＳを引き出すことができ、使用者にとって使い勝手がよくなる。
【００２５】
また、第１実施形態に係るウェットシート収容体１によれば、内側ネジ部１２２ａの向きと内側ネジ部１２１ａの向きとが逆回りとなるように形成されているので、キャップ１３を取り外した際に第２蓋材１２２が取り外されてしまうことを防止することができる。
【００２６】
（第２実施形態）
まず、構成について説明する。なお、説明の簡略化のため、第１実施形態と同様の構成については、同一の符号を付して、その詳細な説明を省略する。また、第２実施形態に係るウェットシート収容体２におけるウェットシートＳの取り出し動作については、第１実施形態と同様であるので、説明を省略する。
【００２７】
第２実施形態に係るウェットシート収容体２は、図４，５に示すように、内部にウェットシートＳが収容された袋状の収容体１１と、収容体１１の上面から突出して設けられた円筒状の取出部２２と、取出部２２の上面を閉塞するように取出部２２に着脱自在に取り付けられる第１蓋材としてのキャップ２３と、を備えて構成される。
【００２８】
取出部２２は、収容体１１の上面から突出して設けられ、上面が全面開放された円筒部２２１と、円筒部２２１の上面を閉塞する第２蓋材２２２と、を備える。
また、取出部２２（第２蓋材２２２）は、その上面を一部隆起させた円筒状の隆起部２２ｄを有する。第２蓋材２２２の側面外周面には、キャップ２３を螺着するための内側ネジ部２２２ａが形成されるとともに、隆起部２２ｄの側面外周面にも、キャップ２３（後述する内蓋２３ｅ）を螺着するための内側ネジ部２２ｆが形成されている。また、隆起部２２ｄの上面には、収容体１１の内部に収容されたウェットシートＳを取り出すためのスリット２２２ｂが設けられている。
【００２９】
キャップ２３は、下面が開口した円筒状の部材で形成されており、キャップ２３の側面内周面には、第２蓋材２２２の側面外周面に形成された内側ネジ部２２２ａと螺合するように、外側ネジ部２３ｃが形成されている。また、キャップ２３上面の裏面には、円筒状の内蓋２３ｅが形成されており、内蓋２３ｅの内周面には、隆起部２２ｄの側面外周面に形成された内側ネジ部２２ｆと螺合するように、外側ネジ部２３ｇが形成されている。この外側ネジ部２３ｇと内側ネジ部２２ｆとが螺合して密着することにより、キャップ２３の内蓋２３ｅ部分が２つ目の蓋材の役割を果たすため、収容体１１内部の気密性をより高レベルで確保することができる。
【００３０】
このように、第２実施形態に係るウェットシート収容体２によれば、取出部２２（第２蓋材２２２）は、上面を一部隆起させた円筒状の隆起部２２ｄを有し、隆起部２２ｄの側面外周面にキャップ２３を螺着するための内側ネジ部２２ｆが形成されるとともに、上面にスリット２２２ｂが形成され、キャップ２３は、上面の裏面に内蓋２３ｅが形成され、内蓋２３ｅの内周面に内側ネジ部２２ｆと螺合するように外側ネジ部２３ｇが形成されている。
従って、この外側ネジ部２３ｇと内側ネジ部２２ｆとが螺合して密着することにより、キャップ２３の内蓋２３ｅ部分が２つ目の蓋材の役割を果たすため、収容体１１内部の気密性をより高レベルで確保することができる。
【００３１】
以上、本発明に係る実施形態に基づいて具体的に説明したが、本発明は上記実施形態に限定されるものではなく、その要旨を逸脱しない範囲で変更可能である。
【００３２】
例えば、上記実施形態では、ウェットシートＳを取り出す際に取り外したキャップ１３はウェットシート収容体１から完全に分離されるように構成されているが、これに限定されるものではない。例えば、図６に示すように、紐状部材Ｈにより、取出部１２とキャップ１３とを接続するように構成してもよい。これにより、使用者は、取り外したキャップ１３を手に保持したままウェットシートＳを使用しなくてもよくなるため、使用者にとって使い勝手をよくすることができる。
【００３３】
また、例えば、図７に示すように、キャップ１３の下端部周縁に軟質部材１４を設ける構成としてもよい。或いは、キャップ１３に対向する取出部１２の上面に軟質部材１４を設ける構成としてもよいし、キャップ１３の下端部、及びキャップ１３に対向する取出部１２の上面の双方に軟質部材１４を設ける構成としてもよい。これにより、キャップ１３を取出部１２に取り付けた際、キャップ１３と取出部１２との間に軟質部材１４が介在して密着されるので、より収容体１１内部の気密性を高めることができる。なお、軟質部材１４の素材に関しては、例えば、ゴム状の弾力性を有するエラストマー等を使用することができる。
【００３４】
また、上記実施形態では、収容体１１の内部に収容されたウェットシートＳの形状がロール状のものを例示して説明したが、これに限定されるものではなく、例えば、ウェットシートＳを層状に積み重ねたものを使用するようにしてもよい。
【００３５】
また、上記実施形態では、収容体１１の形状が袋状のものを例示して説明したが、これに限定されるものではなく、内部にウェットシートＳを収納可能な形状であれば、いかなる形状であってもよい。例えば、ボトル状の容器であってもよいし、卓上用のボックス形状の容器であってもよい。
【００３６】
また、上記実施形態では、円筒部１２１と第２蓋材１２２とからなる取出部１２を備える構成を例示したが、第２蓋材１２２を着脱自在に取り付け可能であることを利用して、取り外した第２蓋材１２２を他の容器に付け替えるようにしてもよい。即ち、第２蓋材１２２を取り付け可能な円筒部１２１を有する他の容器に、取り外した第２蓋材１２２を取り付けることで、使用するシーン（例えば、携帯用、室内用、卓上用等）に応じて容器を自在に使い分けることができる。また、第２蓋材１２２を他の容器に付け替えることができるので、現在使用している容器を廃棄するような場合でも、第２蓋材１２２を使い捨てることなく、有効に活用することができる。
【符号の説明】
【００３７】
１，２  ウェットシート収容体
１１  収容体
１２，２２  取出部
１２１，２２１  円筒部
１２１ａ  内側ネジ部（第２の内側ネジ部）
１２２，２２２  第２蓋材
１２２ａ，２２２ａ  内側ネジ部（第１の内側ネジ部）
１２２ｂ，２２２ｂ  スリット
１２２ｃ  外側ネジ部（第２の外側ネジ部）
２２ｄ  隆起部
２２ｆ  内側ネジ部（第３の内側ネジ部）
１３，２３  キャップ（第１蓋材）
１３ｃ，２３ｃ  外側ネジ部（第１の外側ネジ部）
２３ｅ  内蓋
２３ｇ  外側ネジ部（第３の外側ネジ部）
１４  軟質部材
Ｓ  ウェットシート
Ｈ  紐状部材
【図１】
0005823714.tif 000002
【図２】
0005823714.tif 000003
【図３】
0005823714.tif 000004
【図４】
0005823714.tif 000005
【図５】
0005823714.tif 000006
【図６】
0005823714.tif 000007
【図７】
0005823714.tif 000008